(57)【要約】【課題】レーザ光の波長ずれを誤りなく検出すること。【解決手段】光伝送モジュール１０は、レーザダイオード２０と、レーザ光の波長に対して単調増加するレーザダイオード２０の温度を検出するレーザ温度算出部５２と、入射光の波長に対して透過率が周期的に変動するエタロンフィルタ３６に入射するレーザ光の透過率およびその透過率に対応するレーザ波長を検出する波長算出部４４と、レーザ温度算出部５２により検出された温度と、波長算出部４４により検出されたレーザ波長と、に基づいて、レーザダイオード２０から出力されるレーザ光の設定波長からの波長誤差（波長ずれ）を検出する波長誤差取得部５４と、を含む。【選択図】図２
2012080119.tif 000002
【特許請求の範囲】
【請求項１】
レーザ光源と、
前記レーザ光源から出力されるレーザ光の波長に対して単調増加または単調減少する第１物理量を検出する第１単調変動量検出手段と、
前記レーザ光の波長に対して周期的に変動する第２物理量を検出する周期変動量検出手段と、
前記レーザ光源から出力されるレーザ光の光強度に対して単調増加または単調減少する第３物理量を検出する第２単調変動量検出手段と、
前記第１、第２、および第３物理量に基づいて、前記レーザ光の設定波長からの波長ずれを検出する波長ずれ検出手段と、
を備えたことを特徴とする光伝送モジュール。
【請求項２】
請求項１に記載の光伝送モジュールにおいて、
前記第１単調変動量検出手段は、前記レーザ光源の温度を検出する、
ことを特徴とする光伝送モジュール。
【請求項３】
請求項２に記載の光伝送モジュールにおいて、
前記レーザ光源近傍の温度を検出する第１温度検出手段をさらに含み、
前記第１単調変動量検出手段は、前記第１温度検出手段により検出された温度に基づいて、前記レーザ光源の温度を検出する、
ことを特徴とする光伝送モジュール。
【請求項４】
請求項３に記載の光伝送モジュールにおいて、
前記第１温度検出手段よりも前記レーザ光源から離れた位置の温度を検出する第２温度検出手段をさらに含み、
前記第１単調変動量検出手段は、前記第１温度検出手段により検出された温度と、前記第２温度検出手段により検出された温度と、の間の温度勾配にさらに基づいて、前記レーザ光源の温度を検出する、
ことを特徴とする光伝送モジュール。
【請求項５】
請求項３または４に記載の光伝送モジュールにおいて、
前記レーザ光源に印加されるバイアス電流を検出するバイアス電流検出手段をさらに含み、
前記第１単調変動量検出手段は、前記バイアス電流検出手段により検出されたバイアス電流にさらに基づいて、前記レーザ光源の温度を検出する、
ことを特徴とする光伝送モジュール。
【請求項６】
請求項１から５のいずれかに記載の光伝送モジュールにおいて、
前記周期変動量検出手段は、入射光の波長に対して透過率が周期的に変化する光フィルタを透過する前記レーザ光の透過率を検出する、
ことを特徴とする光伝送モジュール。
【請求項７】
請求項６に記載の光伝送モジュールにおいて、
前記光フィルタの温度を検出する第３温度検出手段をさらに含み、
前記周期変動量検出手段は、前記第３温度検出手段により検出された温度に基づいて、前記検出された透過率を補正する、
ことを特徴とする光伝送モジュール。
【請求項８】
請求項６または７に記載の光伝送モジュールにおいて、
前記光フィルタは、エタロンフィルタである、
ことを特徴とする光伝送モジュール。
【請求項９】
請求項１から８のいずれかに記載の光伝送モジュールにおいて、
前記波長ずれ検出手段による前記波長ずれの検出結果に応じて、アラームを出力するか否かを判定するアラーム判定手段をさらに含む、
ことを特徴とする光伝送モジュール。
【請求項１０】
レーザ光源から出力されるレーザ光の波長に対して単調増加または単調減少する第１物理量を検出する第１単調変動量検出手段と、
前記レーザ光の波長に対して周期的に変動する第２物理量を検出する周期変動量検出手段と
前記レーザ光源から出力されるレーザ光の光強度に対して単調増加または単調減少する第３物理量を検出する第２単調変動量検出手段と、
前記第１、第２、および第３物理量に基づいて、前記レーザ光の設定波長からの波長ずれを検出する波長ずれ検出手段と、
を備えたことを特徴とする波長モニタ。
【請求項１１】
レーザ光源から出力されるレーザ光の波長に対して単調増加または単調減少する第１物理量を検出する第１単調変動量検出ステップと、
前記レーザ光の波長に対して周期的に変動する第２物理量を検出する周期変動量検出ステップと、
前記レーザ光源から出力されるレーザ光の光強度に対して単調増加または単調減少する第３物理量を検出する第２単調変動量検出ステップと、
前記第１、第２、および第３物理量に基づいて、前記レーザ光の設定波長からの波長ずれを検出する波長ずれ検出ステップと、
を含むことを特徴とする波長ずれ検出方法。
【発明の詳細な説明】
【技術分野】
【０００１】
本発明は、光伝送モジュール、波長モニタ、および波長ずれ検出方法に関し、特に、レーザ光の波長ずれを検出するための技術に関する。
【背景技術】
【０００２】
波長多重光通信システムでは、一般に５０〜１００ＧＨｚという狭い間隔で波長グリッドが設定され、各波長グリッドに光回線が割り当てられる。かかるシステムでは、ある回線で生じた光信号の設定波長グリッドからの波長ずれ（ドリフト）が、その回線だけでなく近接する他の回線の通信状態にも影響を与える場合がある。このため、各回線の光波長が一定範囲を超えたか否かを検出する手段が必要となる。
【０００３】
この点、サーミスタなどの温度検出器によりレーザ温度をモニタし、ペルティエ素子などを使用してレーザ温度を一定に保つことにより、光波長を安定化させる技術が知られている。また、特許文献１および２には、エタロンフィルタを使用して光波長を高精度にモニタする波長モニタが開示されている。エタロンフィルタは、図４に示すように、波長（周波数）に対して透過率が周期的に増減するという特徴を有する光フィルタである。光波長が同図に示す設定波長（自回線ｎと表記された丸印）付近で変動する限り、エタロンフィルタから出力される光の透過率をモニタすることによって光波長を正しく推定することができる。
【先行技術文献】
【特許文献】
【０００４】
【特許文献１】特開２００４−１３２７０４号公報
【特許文献２】特開２００３−３２４２４１号公報
【発明の概要】
【発明が解決しようとする課題】
【０００５】
しかしながら、上記特許文献１または２に開示された波長モニタでは、光送信器の劣化や故障などによって光波長が設定波長から大きくドリフトした場合に、光波長の推定を誤ってしまうという問題がある。たとえば、図４に示すように、自回線ｎの光波長が隣接波長グリッド（隣接回線ｎ±１の設定波長）付近までドリフトすると、エタロンフィルタを透過する光の透過率は光波長が設定波長付近にある場合の透過率と同様の値となるため、波長モニタは光波長が設定波長付近にあるものと誤認してしまう。このため、上記波長モニタでは、光波長が大きくドリフトした場合に波長ずれの検出を誤り、通信障害を正しく検出できないことがある。
【０００６】
本発明では、レーザ光の波長ずれを誤りなく検出することができる光伝送モジュール、波長モニタ、および波長ずれ検出方法を提供することを目的とする。
【課題を解決するための手段】
【０００７】
上記課題を解決するために、本発明に係る光伝送モジュールは、レーザ光源と、前記レーザ光源から出力されるレーザ光の波長に対して単調増加または単調減少する物理量を検出する単調変動量検出手段と、前記レーザ光の波長に対して周期的に変動する物理量を検出する周期変動量検出手段と、前記単調変動量検出手段により検出された物理量と、前記周期変動量検出手段により検出された物理量と、に基づいて、前記レーザ光の設定波長からの波長ずれを検出する波長ずれ検出手段と、を含むことを特徴とする。
【０００８】
本発明によれば、レーザ光の波長に対して周期的に変動する物理量だけでなく、レーザ光の波長に対して単調増加または単調減少する物理量にも基づいてレーザ光の波長ずれを検出する。このため、レーザ光源の劣化や故障などによってレーザ光の波長が設定波長から大きくドリフトした場合でも、レーザ光の波長ずれを誤りなく検出することができる。
【０００９】
また、本発明の一態様では、前記波長ずれ検出手段は、前記単調変動量検出手段により検出された物理量が前記設定波長に対応する所定範囲内である場合には、前記周期変動量検出手段により検出された物理量に基づいて前記波長ずれを検出し、前記単調変動量検出手段により検出された物理量が前記所定範囲外である場合には、前記単調変動量検出手段により検出された物理量に基づいて前記波長ずれを検出する。
【００１０】
この態様によれば、レーザ光源の劣化や故障などによってレーザ光の波長が設定波長に対応する所定範囲外にドリフトした場合でも、レーザ光の波長ずれを誤りなく検出することができる。
【００１１】
また、本発明の一態様では、前記単調変動量検出手段は、前記レーザ光源の温度を検出する。
【００１２】
この態様によれば、レーザ光源の温度とレーザ光の波長との関係に基づいて、レーザ光の波長ずれを検出することができる。
【００１３】
また、本発明の一態様では、前記レーザ光源近傍の温度を検出する第１温度検出手段をさらに含み、前記単調変動量検出手段は、前記第１温度検出手段により検出された温度に基づいて、前記レーザ光源の温度を検出する。
【００１４】
この態様では、前記第１温度検出手段よりも前記レーザ光源から離れた位置の温度を検出する第２温度検出手段をさらに含み、前記単調変動量検出手段は、前記第１温度検出手段により検出された温度と、前記第２温度検出手段により検出された温度と、の間の温度勾配にさらに基づいて、前記レーザ光源の温度を検出してもよい。こうすれば、レーザ光源の温度がより正確に得られるので、レーザ光の波長ずれを精度よく検出することができる。
【００１５】
また、この態様では、前記レーザ光源に印加されるバイアス電流を検出するバイアス電流検出手段をさらに含み、前記単調変動量検出手段は、前記バイアス電流検出手段により検出されたバイアス電流にさらに基づいて、前記レーザ光源の温度を検出してもよい。こうすれば、レーザ光源の温度がより正確に得られるので、レーザ光の波長ずれを精度よく検出することができる。
【００１６】
また、本発明の一態様では、前記周期変動量検出手段は、入射光の波長に対して透過率が周期的に変化する光フィルタを透過する前記レーザ光の透過率を検出する。かかる光フィルタの一例として、エタロンフィルタがある。
【００１７】
この態様によれば、レーザ光の波長と光フィルタの透過率との関係に基づいて、レーザ光の波長ずれを検出することができる。
【００１８】
また、この態様では、前記光フィルタの温度を検出する第３温度検出手段をさらに含み、前記周期変動量検出手段は、前記第３温度検出手段により検出された温度に基づいて、前記検出された透過率を補正してもよい。こうすれば、光フィルタの温度依存性を考慮したより正確な透過率が得られるので、レーザ光の波長ずれを精度よく検出することができる。
【００１９】
また、本発明の一態様では、前記レーザ光の光強度を検出する光強度検出手段をさらに含み、前記波長ずれ検出手段は、前記光強度検出手段により検出された光強度が所定電力未満であるか否かにさらに基づいて、前記波長ずれを検出する。
【００２０】
この態様によれば、たとえばレーザ光源の動作状態（正常に発光しているか否かなど）を考慮したより柔軟な波長ずれの検出が可能となる。
【００２１】
また、本発明の一態様では、前記波長ずれ検出手段による前記波長ずれの検出結果に応じて、アラームを出力するか否かを判定するアラーム判定手段をさらに含む。
【００２２】
この態様によれば、検出された波長ずれの大きさなどに応じて、アラームを発することができる。
【００２３】
また、本発明に係る波長モニタは、レーザ光源から出力されるレーザ光の波長に対して単調増加または単調減少する物理量を検出する単調変動量検出手段と、前記レーザ光の波長に対して周期的に変動する物理量を検出する周期変動量検出手段と、前記単調変動量検出手段により検出された物理量と、前記周期変動量検出手段により検出された物理量と、に基づいて、前記レーザ光の設定波長からの波長ずれを検出する波長ずれ検出手段と、を含むことを特徴とする。
【００２４】
また、本発明に係る波長ずれ検出方法は、レーザ光源から出力されるレーザ光の波長に対して単調増加または単調減少する物理量を検出する単調変動量検出ステップと、前記レーザ光の波長に対して周期的に変動する物理量を検出する周期変動量検出ステップと、前記単調変動量検出ステップで検出された物理量と、前記周期変動量検出ステップで検出された物理量と、に基づいて、前記レーザ光の設定波長からの波長ずれを検出するステップと、を含むことを特徴とする。
【発明の効果】
【００２５】
本発明によれば、レーザ光源の劣化や故障などによってレーザ光の波長が設定波長から大きくドリフトした場合でも、レーザ光の波長ずれを誤りなく検出することができる。また、従来の光伝送モジュールに光学的な部品を追加することなく、簡便に波長モニタや波長アラームを構成することができる。
【図面の簡単な説明】
【００２６】
【図１】本発明の実施形態１に係る光伝送モジュールの機能ブロック図である。
【図２】本発明の実施形態２に係る光伝送モジュールの機能ブロック図である。
【図３】レーザダイオードの温度誤差量とレーザ光の波長誤差量との関係を示す図である。
【図４】エタロンフィルタの光透過特性を示す図である。
【発明を実施するための最良の形態】
【００２７】
以下、本発明の実施形態を図面に基づいて詳細に説明する。
【００２８】
［実施形態１］
図１は、本発明の実施形態１に係る光伝送モジュール１０の機能ブロック図である。同図に示すように、光伝送モジュール１０は、レーザダイオード（Laser Diode：ＬＤ）２０、温度検出器２２，４０，５０、ペルティエ素子（Thermoelectric Cooler：ＴＥＣ）２４，４２、光分岐器２６，３０、変調器２８、フォトダイオード（Photo Diodo：ＰＤ）３２，３８、光出力算出部３４、エタロンフィルタ３６、波長算出部４４、自動光出力制御部（Auto Power Controller：ＡＰＣ）４６、レーザバイアス電流モニタ４８、レーザ温度算出部５２、波長誤差取得部５４、および波長アラーム判定部５６、を含んで構成されている。このうち、光出力算出部３４、波長算出部４４、レーザ温度算出部５２、波長誤差取得部５４、および波長アラーム判定部５６は、たとえばマイクロコントローラおよびマイクロコントローラの動作を制御するプログラムなどで構成される。
【００２９】
レーザダイオード２０は、印加されるバイアス電流に応じた光強度のレーザ光を出力する発光素子である。
【００３０】
レーザダイオード２０から出力されるレーザ光の波長は、レーザダイオード２０の温度に応じて変化する。このため、光伝送モジュール１０では、レーザダイオード２０から出力されるレーザ光の波長が所定の設定波長（目標波長）に維持されるよう、レーザダイオード２０の温度を制御している。
【００３１】
図３は、レーザダイオード２０の温度誤差量とレーザダイオード２０から出力されるレーザ光の波長誤差量との関係を示す図である。同図に示すように、レーザ光の波長誤差量は、レーザダイオード２０の温度誤差量の増大に伴って単調に増大する（レーザダイオード２０の温度は、レーザ光の波長の増大に伴って単調上昇または単調下降する）。この関係から、レーザ光の波長を設定波長に維持するために必要となるレーザダイオード２０の温度（目標温度）が導かれる。また、レーザダイオード２０の温度を検出すれば、レーザダイオード２０から出力されるレーザ光の波長を推定することができる。
【００３２】
レーザダイオード２０の温度は、レーザダイオード２０の近傍に配置された温度検出器２２によってモニタされている。温度検出器２２は、検出したレーザダイオード２０近傍の温度をレーザ温度算出部５２に出力する。
【００３３】
レーザダイオード２０と温度検出器２２は、熱電気クーラの１つであるペルティエ素子２４上に搭載されている。ペルティエ素子２４は、温度検出器２２により検出される温度が図３に示す関係から導かれる目標温度になるよう、レーザダイオード２０の温度を制御する。
【００３４】
レーザダイオード２０から出力されたレーザ光は、光分岐器２６によって２方向に分岐される。光分岐器２６によって分岐されたレーザ光の一方は変調器２８に入射し、他方は光分岐器３０によってさらに２方向に分岐される。光分岐器３０によって分岐されたレーザ光の一方はフォトダイオード３２に入射し、他方はエタロンフィルタ３６に入射する。
【００３５】
変調器２８は、光分岐器２６を介して入射するレーザ光を送信信号に変調し、変調されたレーザ光を光伝送モジュール１０の外部に送出する。
【００３６】
フォトダイオード３２は、光分岐器３０を介して入射するレーザ光を電気信号に変換する受光素子である。フォトダイオード３２は、受光したレーザ光の光強度に応じた電流を光出力算出部３４に出力する。
【００３７】
光出力算出部３４は、フォトダイオード３２から入力される電流に基づいて、レーザダイオード２０から出力されるレーザ光の光強度を算出する。そして、算出した光強度を波長算出部４４、自動光出力制御部４６、および波長誤差取得部５４にそれぞれ出力する。
【００３８】
エタロンフィルタ３６は、入射光の波長に対して透過率が周期的に変化する光フィルタの１つであり、図４に示すような光透過特性を有する。このため、光分岐器３０を介してエタロンフィルタ３６に入射するレーザ光の透過率を検出すれば、レーザダイオード２０から出力されるレーザ光の波長を推定することができる。なお、本実施形態では、この方法によるレーザ波長の推定精度の方が、上記レーザダイオード２０の温度に基づくレーザ波長の推定精度より高いものとする。
【００３９】
フォトダイオード３８は、エタロンフィルタ３６を透過したレーザ光の光強度に応じた電流を波長算出部４４に出力する。
【００４０】
温度検出器４０は、エタロンフィルタ３６近傍の温度をモニタし、検出した温度を波長算出部４４に出力する。
【００４１】
なお、エタロンフィルタ３６、フォトダイオード３８、および温度検出器４０は、ペルティエ素子４２上に搭載されており、ペルティエ素子４２によって適宜冷却される。
【００４２】
波長算出部４４は、フォトダイオード３８から入力される電流に基づいてエタロンフィルタ３６を透過したレーザ光の光強度を算出するとともに、算出した光強度（透過後の光強度）を光出力算出部３４から入力される光強度（透過前の光強度）で除算することによりエタロンフィルタ３６を透過したレーザ光の透過率を算出する。さらに、算出した透過率とエタロンフィルタ３６の光透過特性（図４参照）とに基づいてレーザダイオード２０から出力されるレーザ光の波長を推定（透過率を波長に換算）し、推定したレーザ波長を波長誤差取得部５４に出力する。
【００４３】
なお、エタロンフィルタ３６の光透過特性に温度依存性がある場合、波長算出部４４は、温度検出器４０により検出されるエタロンフィルタ３６近傍の温度に基づいて、エタロンフィルタ３６の光透過特性を補正してもよい。こうすれば、波長算出部４４によって算出されるレーザ波長の推定精度が向上する。また、光出力算出部３４から入力される光強度が所定電力未満（たとえば極めて０に近い値）である場合、波長算出部４４は、予め設定された固定値をレーザ波長として波長誤差取得部５４に出力してもよい。
【００４４】
自動光出力制御部４６は、レーザダイオード２０から出力されるレーザ光の光強度が一定となるよう、光出力算出部３４により算出されたレーザ光の光強度に基づいてレーザダイオード２０に印加されるバイアス電流を制御する。
【００４５】
レーザバイアス電流モニタ４８は、レーザダイオード２０に印加されるバイアス電流をモニタし、検出されたバイアス電流値をレーザ温度算出部５２に出力する。
【００４６】
温度検出器５０は、レーザダイオード２０近傍の温度をモニタする温度検出器２２よりもレーザダイオード２０から離れた位置に配置されている。そして、温度検出器５０は、その位置の温度をモニタし、検出した温度をレーザ温度算出部５２に出力する。
【００４７】
レーザ温度算出部５２は、温度検出器２２により検出されたレーザダイオード２０近傍の温度に基づいてレーザダイオード２０の温度を算出する。そして、算出したレーザダイオード２０の温度を波長誤差取得部５４に出力する。
【００４８】
なお、レーザ温度算出部５２は、温度検出器２２により検出された温度と、温度検出器２２よりもレーザダイオード２０から離れた位置に配置された温度検出器５０により検出された温度と、の間の温度勾配に基づいて、レーザダイオード２０の温度を算出（温度検出器２２により検出された温度を補正）してもよい。こうすれば、レーザダイオード２０の温度をより精度よく検出することができる。
【００４９】
また、レーザ温度算出部５２は、レーザバイアス電流モニタ４８から出力されるレーザダイオード２０へのバイアス電流に基づいてレーザダイオード２０の発熱量を推定し、推定した発熱量に基づいてレーザダイオード２０の温度を算出（温度検出器２２により検出された温度を補正）してもよい。たとえば、レーザダイオード２０の劣化によってバイアス電流当たりの光強度が低下すると、レーザダイオード２０に印加するバイアス電流を上げなければならない。この場合、レーザダイオード２０の温度が上昇するにも関わらず、レーザダイオード２０から出力されるレーザ光の波長は変化しないことがある。すなわち、レーザダイオード２０の劣化によって、レーザダイオード２０の温度とレーザ波長との関係（図３参照）に誤差が生じる場合がある。このような場合、温度検出器２２により検出される温度からバイアス電流の増加分に応じたレーザダイオード２０の発熱量を差し引くことによって、レーザダイオード２０の温度とレーザ波長との関係に生じた誤差を補正することができる。
【００５０】
波長誤差取得部５４は、波長算出部４４から入力されるレーザ波長と、レーザ温度算出部５２から入力されるレーザダイオード２０の温度と、に基づいて、レーザダイオード２０から出力されるレーザ光の設定波長からの波長ずれを検出する（レーザ波長と設定波長との波長誤差を取得する）。
【００５１】
すなわち、波長誤差取得部５４は、レーザ温度算出部５２により算出されたレーザダイオード２０の温度が目標温度（レーザ光の波長を設定波長に維持するために必要となるレーザダイオード２０の温度）を含む所定の温度範囲内であれば、波長算出部４４により推定されたレーザ波長と設定波長との誤差を波長誤差として取得する。なお、目標温度を含む所定の温度範囲は、図４に示す波長アラーム閾値に対応する温度範囲よりも広く、図４に示す透過率の変動周期の半分に対応する温度範囲よりも狭いことが望ましい。一方、レーザ温度算出部５２により算出されたレーザダイオード２０の温度が上記所定の温度範囲外であれば、レーザダイオード２０の温度とレーザ波長との関係（図３参照）およびレーザ温度算出部５２により算出されたレーザダイオード２０の温度に基づいてレーザ波長を推定（温度を波長に換算）し、推定したレーザ波長と設定波長との誤差を波長誤差として取得する。そして、波長誤差取得部５４は、こうして取得した波長誤差を波長アラーム判定部５６に出力する。
【００５２】
なお、波長誤差取得部５４は、光出力算出部３４から入力される光強度が所定電力未満である場合には、波長算出部４４から入力されるレーザ波長やレーザ温度算出部５２から入力されるレーザダイオード２０の温度に関わらず、所定の波長誤差を波長アラーム判定部５６に出力してもよい。
【００５３】
波長アラーム判定部５６は、波長誤差取得部５４から入力される波長誤差が予め設定された波長アラーム閾値（図４参照）以上であればレーザ波長異常を示すアラームを生成し、生成したアラームを外部に出力する。
【００５４】
［実施形態２］
図２は、本発明の実施形態２に係る光伝送モジュール１２の機能ブロック図である。同図に示すように、光伝送モジュール１２は、レーザダイオード２０、温度検出器２２，４０，５０、ペルティエ素子２４，４２、光分岐器２６，３０、変調器２８、フォトダイオード３２，３８、光出力算出部３４、エタロンフィルタ３６、波長算出部４４、自動光出力制御部４６、レーザバイアス電流モニタ４８、レーザ温度アラーム判定部５８、光出力アラーム判定部６０、波長アラーム判定部６２、および波長アラーム総合判定部６４、を含んで構成されている。このうち、光出力算出部３４、波長算出部４４、レーザ温度算出部５２、光出力アラーム判定部６０、波長アラーム判定部６２、および波長アラーム総合判定部６４は、たとえばマイクロコントローラおよびマイクロコントローラの動作を制御するプログラムなどで構成される。
【００５５】
以下では、重複説明を避けるため、光伝送モジュール１０と異なる構成を中心に説明する。
【００５６】
レーザ温度アラーム判定部５８は、レーザ温度算出部５２により算出されたレーザダイオード２０の温度が目標温度を含む所定の温度範囲内であるか否かに応じて、レーザ温度アラームの要否を判定する。
【００５７】
光出力アラーム判定部６０は、光出力算出部３４により算出された光強度が所定の光出力アラーム閾値未満であるか否かに応じて、光出力アラームの要否を判定する。
【００５８】
波長アラーム判定部６２は、波長算出部４４により推定されたレーザ波長が波長アラーム閾値（図４参照）に対応する所定の波長範囲内であるか否かに応じて、波長アラームの要否を判定する。
【００５９】
波長アラーム総合判定部６４は、レーザ温度アラーム判定部５８による判定結果、光出力アラーム判定部６０による判定結果、および波長アラーム判定部６２による判定結果、という３つの判定結果に基づいて、最終的にアラーム出力の要否を判定する。
【００６０】
なお、波長アラーム総合判定部６４は、アラーム出力の要否を最終的に判定する際、上記３つの判定結果をいかように組み合わせて用いてもよい。たとえば、光出力アラーム判定部６０は、上記３つの判定結果のうち少なくとも１つが「要」である場合にレーザ波長異常を示すアラームを出力してもよく、また上記３つの判定結果のすべてが「不要」である場合にアラーム出力を解除してもよい。
【００６１】
以上説明した光伝送モジュール１０および１２によれば、レーザ光の波長に対して周期的に変動する物理量（エタロンフィルタ３６に入射するレーザ光の透過率）だけでなく、レーザ光の波長に対して単調増加する物理量（レーザダイオード２０の温度）にも基づいてレーザ光の波長ずれ（波長誤差）を検出する。このため、レーザダイオード２０の劣化や故障などによってレーザ光の波長が設定波長から大きくドリフトした場合でも、レーザ光の波長ずれを誤りなく検出することができる。
【００６２】
なお、本発明は、上記実施形態に限定されるものではなく、光伝送モジュール全般および波長モニタ全般に広く適用可能である。
【００６３】
また、上記実施形態では、レーザ光源から出力されるレーザ光の波長に対して単調増加または単調減少する物理量としてレーザダイオードの温度を例示したが、入射光の波長に対して透過率が線形に変化する光フィルタを透過するレーザ光の光強度を用いてもよい。
【符号の説明】
【００６４】
１０，１２  光伝送モジュール、２０  レーザダイオード（ＬＤ）、２２，４０，５０  温度検出器、２４，４２  ペルティエ素子（ＴＥＣ）、２６，３０  光分岐器、２８  変調器、３２，３８  フォトダイオード（ＰＤ）、３４  光出力算出部、３６  エタロンフィルタ、４４  波長算出部、４６  自動光出力制御部（ＡＰＣ）、４８  レーザバイアス電流モニタ、５２  レーザ温度算出部、５４  波長誤差取得部、５６  波長アラーム判定部、５８  レーザ温度アラーム判定部、６０  光出力アラーム判定部、６２  波長アラーム判定部、６４  波長アラーム総合判定部。
【図１】
2012080119.tif 000003
【図２】
2012080119.tif 000004
【図３】
2012080119.tif 000005
【図４】
2012080119.tif 000006